(57)【要約】【課題】部品点数を増やすことなく、内面反射を低減して、且つ小型或いは高光学機能のレンズ鏡胴を提供する。【解決手段】光軸に沿って配設された複数のレンズ群のうち少なくとも一つを移動可能な可動レンズ群（例えば、第三レンズ群５３）としたレンズ光学系（５）と、可動レンズ群を移動させるレンズ移動機構（例えば、第三レンズ枠５３ａ、モータ６など）、と、可動レンズ群が所定の位置にあることを検出するレンズ位置検出手段（例えば、位置検出センサ１２）と、レンズ光学系の後方に位置する光学フィルタ（８）と、を備えたレンズ鏡胴において、光学フィルタを固定するとともに、レンズ位置検出手段を保持する保持部（１１１）を有する固定部材（例えば、金属板１１）を備えた。【選択図】      図２
2005010401.tif 000002
【特許請求の範囲】
【請求項１】
光軸に沿って配設された複数のレンズ群のうち少なくとも一つを移動可能な可動レンズ群としたレンズ光学系と、
前記可動レンズ群を移動させるレンズ移動機構と、
前記可動レンズ群が所定の位置にあることを検出するレンズ位置検出手段と、
前記レンズ光学系の後方に位置する光学フィルタと、
を備えたレンズ鏡胴において、
前記光学フィルタを固定するとともに、前記レンズ位置検出手段を保持する保持部を有する固定部材を備えたことを特徴とするレンズ鏡胴。
【請求項２】
光軸に沿って配設された複数のレンズ群からなるレンズ光学系と、
光軸方向に移動可能に設けられた鏡胴部材を移動させて鏡胴進退を行う鏡胴移動機構と、
前記鏡胴部材が所定の位置にあることを検出する鏡胴位置検出手段と、
前記レンズ光学系の後方に位置する光学フィルタと、
を備えたレンズ鏡胴において、
前記光学フィルタを固定するとともに、前記鏡胴位置検出手段を保持する保持部を有する固定部材を備えたことを特徴とするレンズ鏡胴。
【請求項３】
請求項１又は２記載のレンズ鏡胴であって、
前記保持部は弾性部材で構成されていることを特徴とするレンズ鏡胴。
【請求項４】
請求項１〜３の何れか一項に記載のレンズ鏡胴であって、
前記固定部材が金属板であることを特徴とするレンズ鏡胴。
【発明の詳細な説明】
【０００１】
【本発明が属する技術分野】
本発明は、カメラ等の本体に搭載されるレンズ鏡胴に関する。
【０００２】
【従来の技術】
従来、カメラ等の本体に搭載されている進退自在なレンズ鏡胴が知られている。レンズ鏡胴は、光軸に沿って配設され、移動可能な可動レンズ群を有するレンズ光学系と、レンズ光学系を移動させるレンズ移動機構などを備えている。
また、レンズ鏡胴には、鏡胴内に所定の光学フィルタが搭載されているものや、可動レンズ群が所定の位置に位置するか否かを検出するレンズ位置検出センサなどが搭載されているものもある（例えば、特許文献１、特許文献２など）。
より具体的には、例えば、図７、８に示すように、レンズ鏡胴１００は、光学レンズ系５後方に光学フィルタ８が設けられ、光学フィルタ８の近くにレンズ位置検出センサ１２が設けられている。光学フィルタ８は樹脂で構成されている固定枠１３に当接され、弾性部材９を介してＣＣＤ１０（撮像素子）で押圧されて固定されている。
一方、レンズ位置検出センサ１２は、専用の固定治具１４をねじ止め、接着することによって固定枠１３に固定されている。また、レンズ位置検出センサ１２は接着剤によって直接固定されることもあるが、その場合には固定治具１４が接着剤硬化までの保持部材として用いられる。
【０００３】
【特許文献１】
特開２００１−２５５４４４号広報
【特許文献２】
特開平６−２８９２７７号広報
【０００４】
【発明が解決しようとする課題】
ところで、レンズ鏡胴１００の光学フィルタ８を固定枠１３に固定するためには、固定強度を保つために固定枠１３の枠１３ａの厚さを厚くしておかなければならない。そのため、レンズ鏡胴１００の沈胴長Ｌが長くなってしまったり、レンズ移動可能距離が短くなってしまうという問題点があった。
上記課題を解決するために、光学フィルタ８を単に別の部材で固定することも考えられるが、部品点数が増えてしまい、取付け作業が煩雑になり、結果的に生産コストがかかってしまうことが予想される。
また、枠１３が厚いため、外光が枠１３に直接当たることによって内面反射が起こり、視野像の不要光が生じてしまい、フレアやゴースト等の悪影響を与えるという不具合もあった。
さらに、レンズ位置検出センサ１２を接着剤によって固定枠１３に直接固定する場合は、接着剤が硬化するまで固定治具１４で保持しなければならず、組立作業が煩雑であった。
【０００５】
そこで、本発明の課題は、部品点数を増やすことなく、内面反射を低減して、且つより小型或いは高光学機能のレンズ鏡胴を提供することである。
【０００６】
【課題を解決するための手段】
上記課題を解決するため、請求項１記載の発明は、
光軸に沿って配設された複数のレンズ群のうち少なくとも一つを移動可能な可動レンズ群としたレンズ光学系と、
前記可動レンズ群を移動させるレンズ移動機構と、
前記可動レンズ群が所定の位置にあることを検出するレンズ位置検出手段と、
前記レンズ光学系の後方に位置する光学フィルタと、を備えたレンズ鏡胴において、
前記光学フィルタを固定するとともに、前記レンズ位置検出手段を保持する保持部有する固定部材を備えたことを特徴とする。
【０００７】
請求項１記載の発明によれば、光学フィルタを固定するとともに、レンズ位置検出手段を保持するための保持部を有する固定部材を備えることによって、光学フィルタとレンズ位置検出手段とを同時に保持固定することができるので、部品点数を増やすことなく、光学フィルタとレンズ位置検出手段とを保持固定することができる。従って、レンズ鏡胴の組立作業が容易にできる上、レンズ鏡胴の沈胴長を短縮できたり、或いは、沈胴長を短縮する代わりに、レンズ移動可能距離を伸ばして光学機能を向上させることができる。
また、光学フィルタの光軸方向の固定部材の厚みを薄くできるので、視野像の不要光の原因となる内面反射を低減することができる。
【０００８】
請求項２記載の発明は、
光軸に沿って配設された複数のレンズ群と、
光軸方向に移動可能に設けられた鏡胴部材を移動させて鏡胴進退を行う鏡胴移動機構と、
前記鏡胴部材が所定の位置にあることを検出する鏡胴位置検出手段と、
前記レンズ光学系の後方に位置する光学フィルタと、
を備えたレンズ鏡胴において、
前記光学フィルタを固定するとともに、前記鏡胴位置検出手段を保持する保持部を有する固定部材を備えたことを特徴とする。
【０００９】
請求項２記載の発明によれば、光学フィルタを固定するとともに、鏡胴位置検出手段を保持するための保持部を有する固定部材を備えることによって、光学フィルタと鏡胴位置検出手段とを同時に保持固定することができるので、部品点数を増やすことなく、光学フィルタと鏡胴位置検出手段とを固定することができる。従って、レンズ鏡胴の組立作業が容易にできる上、レンズ鏡胴の沈胴長を短縮できたり、或いは、沈胴長を短縮する代わりに、レンズ移動可能距離を伸ばして光学機能を向上させることができる。
また、光学フィルタの光軸方向の固定部材の厚みを薄くできるので、視野像の不要光の原因となる内面反射を低減することができる。
【００１０】
請求項３記載の発明は、請求項１又は２記載のレンズ鏡胴であって、
前記保持部は弾性部材で構成されていることを特徴とする。
【００１１】
請求項３記載の発明によれば、請求項１又は２記載の発明と同様の効果が得られるのは無論のこと、特に、保持部の弾性を利用してレンズ位置検出手段又は鏡胴位置検出手段を保持することができるので、より容易にレンズ位置検出手段又は鏡胴位置検出手段を保持することができる。
【００１２】
請求項４記載の発明は、請求項１〜３の何れか一項に記載のレンズ鏡胴であって、前記固定部材が金属板であることを特徴とする。
【００１３】
請求項４記載の発明によれば、請求項１〜３の何れか一項に記載の発明と同様の効果が得られるのは無論のこと、固定部材として金属を用いることにより固定部材の強度を向上させることができるので、光軸方向の固定部材の厚みをより薄くすることができることとなって、鏡胴のより小型化或いは高光学機能化を図ることができる。
【００１４】
【発明の実施の形態】
以下、図を参照して本発明の実施の形態を詳細に説明する。本実施形態では、レンズ鏡胴１をデジタルカメラに適用した場合を一例として説明する。図１は本実施形態に係るレンズ鏡胴１の沈胴状態における断面図、図２は本発明に係る要部の拡大図である。
【００１５】
レンズ鏡胴１は、図１、２に示すように、デジタルカメラ（図示省略）の本体に固定される固定筒２と、固定筒２に収められる第一移動筒３ａと、第一移動筒３ａに収められる第二移動筒３ｂと、固定筒２と第一移動筒３ａの間に収められ、第一移動筒３ａ及び第二移動筒３ｂを光軸方向に移動させるカム筒４と、を備えている。
【００１６】
また、レンズ鏡胴１の内部には、可動レンズ群としての第一レンズ群５１、第二レンズ群５２、第三レンズ群５３からなるレンズ光学系５が配置されている。各第一レンズ群５１〜第三レンズ群５３は、それぞれ別個に第一レンズ枠５１ａ、第二レンズ枠５２ａ、第三レンズ枠５３ａに保持され、その光軸を同軸上とし、かつ前方（図では左側）から第一レンズ群５１、第二レンズ群５２、第三レンズ群５３の順に配置されるように、固定筒２内部に格納されている。
【００１７】
固定筒２は、前後端が開口した略円筒形状に形成されており、その後端部が固定枠７を介してデジタルカメラ本体（図示省略）に固定される。
第一移動筒３ａは、後端が開口した略円筒形状に形成されており、前端部には、第一レンズ群５１を保持する第一レンズ枠５１ａが取り付けられている。
第二移動筒３ｂは、前端が開口した略円筒形状に形成されており、後端部には、第二レンズ群５２を保持する第二レンズ枠５２ａが取り付けられている。
【００１８】
カム筒４の内周面には、カム溝４１、４２が設けられており、このカム溝４１、４２が、第一レンズ枠５１ａ及び第二レンズ枠５２ａの後端部に設けられた従動突起（図示省略）と係合して、第一レンズ枠５１ａ及び第二レンズ枠５２ａを光軸方向に案内する。このカム筒４には、カム筒４を回動駆動させる駆動源（図示省略）が接続されている。
【００１９】
固定枠７は、図３に示すように、略円形状に形成され、中央に略矩形の開口部ａを有する突起部７１を備えている。
突起部７１には、第三レンズ枠５３ａを光軸方向に沿って移動可能に保持する支柱（図示省略）が２本立設されている。
【００２０】
また、固定枠７の突起部７１の下面側には、開口部ａの大きさよりも小さい光学フィルタ８が配置されている。光学フィルタ８は、例えば、被写体光学像における高くて不要な周波数成分を除去するローパスフィルターや、赤外光をカットするための赤外カットフィルターなどである。
光学フィルタ８のさらに下面側には、弾性部材９を介してＣＣＤ１０が配置されている。
【００２１】
固定枠７の突起部７１の上面側には、図４に示す固定部材としての金属板１１が、突起部７１の上面側に設けられたねじ穴７１ａにねじ止めされて、固定枠７に取り付けられている。
金属板１１は、その中央に固定枠７の開口部ａおよび光学フィルタ８よりもわずかに狭い開口部ｂを有し、金属板１１の下面には、その開口部ｂを覆うように光学フィルタ８が固定されている。
また、金属板１１の端部には、一部が上方に立ち上がった立直面部１１１ａとこの立直面部１１１ａの先端から略水平方向に突出した水平面部１１１ｂを有する逆Ｌ字状の保持部１１１が形成されている。立直面部１１１ａ及び水平面部１１１ｂは、その中央部分が開口している。
保持部１１１は、金属板１１の一部を、上記のように加工することにより形成される。
【００２２】
そして、この保持部１１１の水平面部１１１ｂの下面側には、図５に示すレンズ位置検出手段としての位置検出センサ１２が取り付けられている。
位置検出センサ１２は、例えば、光センサであり、発光部１２ａと受光部１２ｂとが隙間ｃを有して設けられている。そして、この隙間ｃに位置検出対象物である第三レンズ群５３が保持された第三レンズ枠５３ａの検知板５３ｂが挿入されることにより、第三レンズ群５３の位置を検出するようになっている。
第三レンズ枠５３ａは、当該第三レンズ枠５３ａを支柱（図示省略）に沿って光軸方向に移動させて位置調整を行うモータ６と接続されている。
【００２３】
そして、図１においては、カメラの未使用時で各レンズ群が近接した状態（沈胴状態）であり、使用時になると、所望の倍率で撮影できるように、上記駆動源（図示省略）及びモータ６が駆動して各第一レンズ枠５１ａ〜第三レンズ枠５３ａを移動させる。この際、第一レンズ枠５１ａ及び第二レンズ枠５２ａは、駆動源によるカム筒４の回動に伴って、カム溝４１、４２に案内されて移動する。
よって、各第一レンズ枠５１ａ〜第三レンズ枠５３、第一移動筒３ａ、第二移動筒３ｂ、カム筒４、駆動源（図示省略）、モータ６などにより、第一レンズ５１〜第三レンズ５３を移動させるレンズ移動機構を構成するとともに、鏡胴１を構成する鏡胴部材を移動させる鏡胴移動機構を構成する。
【００２４】
なお、デジタルカメラの本体には、第三レンズ群５３の移動を制御して被写体に対する焦点合わせを自動的に行うオートフォーカス機構や、第一レンズ群５１や第二レンズ群５２の移動を制御して倍率変更を行うズーム機構が備えられている。
【００２５】
次に、上記のように構成されているレンズ鏡胴１を構成する光学フィルタ８及び位置検出センサ１２の固定枠７への取付けについて説明する。
【００２６】
まず、金属板１１を固定枠７に固定する。この固定は、金属板１１の孔部１１ａと固定枠７のねじ穴７１ａを重ね合わせて、ねじ止めすることによって行う。次いで、光学フィルタ８を固定枠７の後方から嵌め込んで、金属板１１に接着して固定する。次いで、検出センサ１２を保持部１１１に固定する。
その後、弾性部材９を介してＣＣＤ１０を光学フィルタ８に押圧して固定する。
【００２７】
また、変形例として、図６に示すように、位置検出センサ１２を次のように保持することも可能である。固定枠７０に検出センサ１２を載置可能な載置台７０ｂを設け、載置台７０ｂに検出センサ１２を載置する。そして、金属板１１を固定枠７０に取り付けて、金属板１１の孔部１１ａを固定枠７０の突起部７０ａのねじ穴（図示省略）に重ね合わせて、ねじ止めして固定する。その際、金属板１１の保持部１１１を検出センサ１２を上面から覆うようにして取り付ける。
金属板１１は弾性部材であるため、保持部１１１により検出センサ１２を弾性保持することができる。つまり、検出センサ１２を付勢した状態で固定することができる。
【００２８】
なお、本発明は上述の実施形態に限定されるものではない。本実施形態では本発明に係るレンズ鏡胴をデジタルカメラに適用した場合について説明したが、ビデオカメラなどデジタルカメラ以外の光学機器に適用してもよい。
また、金属板１１は、全体が弾性部材で構成されている必要はなく、保持部１１１が弾性部材で構成されていればよい。
【００２９】
検出センサ１２は、第一レンズ群５１、第二レンズ群５２の位置を検出するものであってもよい。また、第一レンズ枠５１ａ、第二レンズ枠５２ａ、第一移動筒３ａ、第二移動筒３ｂ、カム筒４の鏡胴部品の位置検出でもよい。
【００３０】
以上説明した本発明に係るレンズ鏡胴１によれば、光学フィルタ８を固定するとともに、検出センサ１２を保持するための保持部１１１を有する金属板１１を備えることによって、光学フィルタ８と検出センサ１２とを同時に保持固定することができるので、部品点数を増やすことなく、光学フィルタ８と検出センサ１２とを保持固定することができる。従って、レンズ鏡胴１の組立作業が容易にできる上、レンズ鏡胴１の沈胴長Ｌを短縮できたり、或いは、沈胴長Ｌを短縮する代わりに、レンズ移動可能距離を伸ばして光学機能を向上させることもできる。
また、光学フィルタ８の光軸方向の固定部材の厚みを薄くできるので、視野像の不要光の発生原因となる内面反射を低減することができる。
固定部材を弾性部材である金属板１１で構成することによって、検出センサ１２を弾性保持することも可能である。
【００３１】
【発明の効果】
本発明に係るレンズ鏡胴によれば、光学フィルタを固定するとともに、レンズ位置検出手段又は鏡胴位置検出手段を保持するための保持部を有する固定部材を備えることによって、光学フィルタとレンズ位置検出手段又は鏡胴位置検出手段とを同時に保持固定することができるので、部品点数を増やすことなく、光学フィルタとレンズ位置検出手段又は鏡胴位置検出手段とを保持固定することができる。従って、レンズ鏡胴の組立作業が容易にできる上、レンズ鏡胴の沈胴長を短縮できたり、或いは、沈胴長を短縮する代わりに、レンズ移動可能距離を伸ばして光学機能を向上させることもできる。
また、光学フィルタの光軸方向の固定部材の厚みを薄くできるので、視野像の不要光の発生原因となる内面反射を低減することができる。
固定部材を弾性部材で構成することによって、レンズ位置検出手段又は鏡胴位置検出手段を弾性保持することも可能である。
【図面の簡単な説明】
【図１】本発明に係るレンズ鏡胴の沈胴状態の断面図である。
【図２】図１における本発明に係る要部の拡大図である。
【図３】本発明に係るレンズ鏡胴を構成する固定枠の平面図である。
【図４】本発明に係るレンズ鏡胴を構成する金属板の平面図である。
【図５】本発明に係るレンズ鏡胴を構成する検出センサの平面図である。
【図６】本発明に係る要部の変形例の拡大図である。
【図７】従来のレンズ鏡胴の断面図である。
【図８】従来のレンズ鏡胴における、本発明に係る要部に対応する部分の拡大図である。
【符号の説明】
１  レンズ鏡胴
３ａ  第一移動筒（レンズ移動機構、鏡胴部材、鏡胴移動機構）
３ｂ  第二移動筒（レンズ移動機構、鏡胴部材、鏡胴移動機構）
４  カム筒（レンズ移動機構、鏡胴部材、鏡胴移動機構）
５  光学レンズ系
６  モータ（レンズ移動機構）
８  光学フィルタ
１１  金属板（固定部材）
１２  検出センサ（レンズ位置検出手段、鏡胴位置検出手段）
４１  カム溝（レンズ移動機構、鏡胴移動機構）
４２  カム溝（レンズ移動機構、鏡胴移動機構）
５１ａ  第一レンズ枠（レンズ移動機構、鏡胴部材、鏡胴移動機構）
５２ａ  第二レンズ枠（レンズ移動機構、鏡胴部材、鏡胴移動機構）
５３ａ  第三レンズ枠（レンズ移動機構、鏡胴部材、鏡胴移動機構）
【図１】
2005010401.tif 000003
【図２】
2005010401.tif 000004
【図３】
2005010401.tif 000005
【図４】
2005010401.tif 000006
【図５】
2005010401.tif 000007
【図６】
2005010401.tif 000008
【図７】
2005010401.tif 000009
【図８】
2005010401.tif 000010